(57)【要約】【課題】  通風部として保形できる通風孔と玉縁を設け、通風孔を風を受け止める方向に大きく開き、その大きさを維持・調整する事で、所望の空気量を意図的に導入して、衣服構造内を換気・冷却し、快適温度を調整する衣服構造体の空気導入手段を提供する。【解決手段】  本体部２と、切込みにより開孔されている通風孔４と玉縁７を有する通風部３から構成され、前記通風孔４における２つの切込み端において、人体における前後方向の少なくとも後ろ側に保形できる構造体５２を設けている、もしくは玉縁７自体が保形できる構造体である事を特徴とする。【選択図】図１
2015145539.tif 000002
【特許請求の範囲】
【請求項１】
本体部と、切込みにより開孔されている通風孔と玉縁を有する通風部から構成され、前記通風孔における２つの切込み端において、人体における前後方向の少なくとも後ろ側に保形できる構造体を設けている、もしくは玉縁自体が保形できる構造体である事を特徴とする衣服の構造体。
【請求項２】
前記通風孔における２つの切り込み端に設けた保形できる構造体は、人体に沿うように各々の端部を合わせた状態から、本体部との接合部分より各々の端部の一部が、３０度以上の角度に立ち上げて保形可能である請求項１に記載の衣服の構造体。
【請求項３】
前記２つの切り込み端に設けた保形出来る構造体の各々の端部は、係止部材にて開閉可能な請求項１、２のいずれかに記載の衣服の構造体。
【請求項４】
前記玉縁が、前記通風孔の後ろ側の切り込み端より、さらに後ろ側に設けられている事を特徴とする請求項１〜３のいずれかに記載の衣服の構造体。
【請求項５】
前記保形できる構造体に用いられる保形材が、ショア硬度Ａ４０〜Ａ１００またはＤ１０〜７０である事を特徴とする請求項１〜４に記載の衣服の構造体。
【請求項６】
前記保形できる構造体の長手方向の長さが１００ｍｍを超える事を特徴とする請求項１〜５のいずれかに記載の衣服の構造体。
【請求項７】
前記通風孔は、人体の身長方向の鉛直線に対して、０度以上９０度未満の角度で設けられていることを特徴とする、請求項１〜６のいずれかに記載の衣服の構造体。
【請求項８】
前記玉縁の短辺方向の幅が、５ｍｍ以上である事を特徴とする請求項１〜７のいずれかに記載の衣服の構造体。
【請求項９】
前記保形材の剛性が、前記切込み端における部材の剛性よりも硬い事を特徴とする請求項１〜８のいずれかに記載の衣服の構造体。
【発明の詳細な説明】
【技術分野】
【０００１】
本発明は、衣服の構造体に付加する、風を受け止め空気を取り込む、すなわち衣服内に空気を導入する手段に関するものである。
【背景技術】
【０００２】
スポーツ用品における衣服の構造体は、従来より運動によって体から生じる熱気が不快感を生じさせることとなるので、衣服内に冷たい外気を取り入れたり、衣服内の暖まった空気を対流させ涼しくしたり、快適性を保つ事が課題である。
そして、この空気を衣服内に導入する手段としては、従来より多くの検討が行われている。例えば、ワイシャツの衿の部分に通気孔を設け、外観における美観を損なわずに換気を行う構造についての開示がある（特許文献１）。又、上衣やレインコートの前身頃に縦方向又は斜め方向のスリットを設けることにより、衣服と肌の間に溜まる暖かい空気を衣服外に逃がすように構成され、わずかな風でも十分な冷却効果となる衣服についての開示がある（特許文献２）。さらには、出願人自身が、切り込み孔の切り込み端に保形材を用いて、その切込み孔の大きさを維持・調整することで衣服内を換気・冷却することについての考案も行っている（特許文献３）。
【特許文献１】実開昭６１−０３０００３号公報
【特許文献２】実公昭６２−０３６８１３号公報
【特許文献３】実用新案登録第３１７７９０４号公報
【０００３】
しかし、これらの技術を用いた衣服では、空気を衣服内に導入する手段としては効果が十分で無く、解決したい課題が残されたままであった。たとえば、特許文献１では、構成される空隙が、又、空気を取り入れる通風孔の大きさが十分で無く、冷却効果が思わしく無いという問題があった。更に特許文献２では、通風孔を意図的に大きく開いても、その大きさを維持出来ないので、長時間に亘り空気を導入できないという問題があった。更には通風孔の大きさを意図的に調整できないので、所望の空気量を得ることで、好みの快適性を得る事が出来ないという問題もあった。
【０００４】
したがって、特許文献３においては、上記問題点を解決すべく、切り込み孔の切り込み端に保形材を用いて、その切込み孔の大きさを維持・調整することで衣服内を換気・冷却することについての考案を行ったが、その孔を開く方向や大きさ、角度が十分に検討されておらず、衣服内に導入できる、もしくは調整できる空気量については限られていた。
【発明の概要】
【発明が解決しようとする課題】
【０００５】
本発明は、前記従来の問題を解決するため、衣服構造体の本体に通風部として保形できる通風孔と玉縁を設け、通風孔を風を受け止める方向に大きく開き、その大きさを維持・調整する事で、所望の空気量を意図的に導入して、好みの温度に調整する事で、衣服内を快適温度にするものである。
【課題を解決するための手段】
【０００６】
以上の課題を解決するために、本発明における請求項１に記載の発明は、本体部と、切込みにより開孔されている通風孔と玉縁を有する通風部から構成され、前記通風孔における２つの切込み端において、人体における前後方向の少なくとも後ろ側に保形できる構造体を設けている、もしくは玉縁自体が保形できる構造体である事を特徴とする衣服の構造体とした。
【０００７】
また、請求項２に記載の発明は、前記通風孔における２つの切り込み端に設けた保形できる構造体は、人体に沿うように各々の端部を合わせた状態から、本体部との接合部分より各々の端部の一部が３０度以上の角度に立ち上げて保形可能であることを特徴とする衣服の構造体とした。
【０００８】
更に、請求項３に記載の発明は、前記通風孔における２つの切り込み端に設けた保形出来る構造体の各々の端部は、係止部材にて開閉可能であることを特徴とする衣服の構造体とした。
【０００９】
次に、請求項４に記載の発明は、前記玉縁が、前記通風孔の後ろ側の切り込み端より、さらに後ろ側に設けられている事を特徴とする衣服の構造体とした。
【００１０】
次に、請求項５に記載の発明は、前記保形できる構造体に用いられる保形材が、ショア硬度Ａ４０〜Ａ１００またはＤ１０〜７０である事を特徴とする衣服の構造体とした。
【００１１】
次に、請求項６に記載の発明は、前記保形できる構造体の長手方向の長さが１００ｍｍを超える事を特徴とする衣服の構造体とした。
【００１２】
次に、請求項７に記載の発明は、前記通風孔は人体の身長方向の鉛直線に対して０度以上９０度未満の角度で設けられていることを特徴とする衣服の構造体とした。
【００１３】
次に、請求項８に記載の発明は、前記玉縁の短辺方向の幅が、５ｍｍ以上である事を特徴とする衣服の構造体とした。
【００１４】
最後に、請求項９に記載の発明は、前記保形材の剛性が、前記切込み端における部材の剛性よりも硬い事を特徴とする衣服の構造体とした。
【発明の効果】
【００１５】
本発明の衣服構造体における空気導入手段は、上記の構成とすることにより、衣服構造体の本体に通風部として保形できる通風孔と玉縁を設け、通風孔を風を受け止める方向に大きく開き、その大きさを維持・調整する事で、所望の空気量を意図的に導入して、衣服構造内を換気・冷却し、快適温度にすることが可能となる。
【図面の簡単な説明】
【００１６】
【図１】図１（ａ）は、本発明における１つの実施の形態における衣服構造体（スラックス）１の全体図である。図１（ｂ）は通風部３の通風孔４を開いた状態を表す拡大図である。
【図２】図２（ａ）は、図１における通風部３におけるＩ−Ｉ断面を示す図であり、図２（ｂ）は、図２（ａ）における通風部３の拡大図である。
【図３】図３（ａ）は、図１における保形できる構造物５１、５２を、通風孔４の２つの切り込み端に設け、さらに係止部材６を設けて係止した状態を示す図である。図３（ｂ）は、人体の後ろ側に設けた保形できる構造物５２の断面図であり、配置される保形材９の断面を示した図である。図３（ｃ）は、保形材９の全体図を示した図である。
【図４】図４は、通風孔４の角度を変化させる様子を示した図である。
【図５】図５は、本発明品となる衣服の構造体（スラックス）１における空気の導入効果についての実験風景を示したものである。
【発明を実施するための形態】
【００１７】
本発明者は、衣服構造体に付加する、風を受け止め衣服内に空気を導入する機能に着目し、本発明の通風手段を発明するに至った。
特に、本発明品となる衣服構造体は、本体部と、衣服構造体の本体に通風部として保形できる通風孔と玉縁を設け、通風孔を風を受け止める方向に大きく開き、その大きさを維持・調整する事で、所望の空気量を意図的に導入して、好みの温度に調整する事で、快適温度にするものである。
【００１８】
本発明の衣服構造体は、本体部と、切込みにより開孔されている通風孔と玉縁を有する通風部から構成されており、主要部は通風部となるので本体部においてはどのような構成としても任意である。
又、本体部・通風部に用いる素材としては共通でも、異なってもどちらでも良く、主に衣服を構成する素材であれば問題は無い。
【００１９】
前記通風部の、前記通風孔における、２つの切込み端において、人体における前後方向の少なくとも後ろ側に保形できる構造体が設けられる。
このように保形できる構造体を設けることで、通風部の通風孔を風を受け止める方向に大きく開き、その大きさを維持し、孔の大きさを調整する事が可能となる。
特に、前記保形できる構造体は、人体が前向きに移動する際に風を導入するために、通風孔における前後の切込み端の、後ろ側に配置される切込み端に設けられることが好ましい。
前記保形できる構造体の作成方法としては、本体部に使用する生地、もしくは任意の生地を保形材を挟み込む様に接合することで作成され、接合方法としては接着・縫製等の任意の方法が可能である。
もしくは、任意の糸で保形材をテープ状の構造体に織り込むことで作成される。
前記保形できる構造体の取り付け手段としては、前記通風部の、前記通風孔における、２つの切込み端に縫製することで取り付けられる。
また、前記保形できる構造体に用いる保形材の代わりに、接着芯地を使用してもよい。
保形材の材質としては、ポリエチレン樹脂、ウレタン樹脂、オレフィン樹脂、アルミニウムなどが挙げられ、前記通風部の切込み孔を大きく開き、孔の大きさを維持・調整できるように、人の手によって塑性変形可能なものが選択される。
また、接着芯地の材質としては、基布にポリエステルやナイロン等を使用し、織物、編物、不織布にしたものに、接着剤として、ポリアミド、ポリエチレン、エチレン酢酸ビニル共重合、ポリエステル等の合成樹脂を塗布したものや、ポリウレタン等のフィルムに接着剤として、ポリウレタン、ポリエステル、またはエポキシ樹脂等を塗布したものなどが選択される。
【００２０】
前記後ろ側の切り込み端に設けられる保形できる構造体の代わりに、玉縁自体に保形材を施し、保形できる構造体とすることも可能である。
そうすることにより、前記後ろ側の切り込み端に設けられる保形できる構造体を設けずとも、玉縁自体が保形できる構造体となることにより、変形させて人体が前向きに移動する際に風を受けとめる形態に保持し、通風孔に風を導入させることが可能となる。
もちろん、前記前記後ろ側の切り込み端に設けられる保形できる構造体を同時に設けても良く、その場合更に風を受け止め、通風孔に風を導入させる機能を向上させることができる。
【００２１】
前記通風孔における２つの切り込み端における保形できる構造体は、人体に沿うように各々の端部を合わせた状態から、本体部との接合部分より各々の端部の一部が３０度以上の角度に立ち上げて保形可能であることが好ましい。
そうすることにより、通風孔を風を受け止める方向に大きく広げ、多くの空気を導入することが可能である。３０度未満になると、十分な風が導入できず本発明の構造の効果が十分発揮できない。
各々の端部を立ち上げる角度は、３０度以上であれば、６０度であっても９０度であっても良く、角度が大きくなる程その効果は向上する。
【００２２】
前記２つの切り込み端に設けた保形できる構造体は、各々の端部に係止部材を設けることにより開閉可能に作成されていることが好ましい。
そうすることで、比較的涼しい状況下でも通風孔を閉じれば、通風孔に風を導入することを阻止することが可能になり、衣服内温度を快適温度に保つことが可能になる。
【００２３】
前記玉縁は、前記通風孔の後ろ側の切り込み端より、さらに後ろ側に設けられている事が好ましい。
そうすることにより、人体の前方向からの風を受け止め易くなり、更には通風孔に保形できる構造体が設けられている場合には、風を導入する効果を相乗的に発揮させることができる。
【００２４】
前記保形材は、ショア硬度Ａ４０〜Ａ１００またはＤ１０〜７０であることが好ましい。ショア硬度Ａ４０〜Ａ１００またはＤ１０〜７０であれば、通風部が使用中に風の影響や、多少の物や人体への接触により変形せず、切込み孔の大きさを維持できるからである。
【００２５】
前記保形材の硬度の測定方法としては、ＪＩＳ  Ｋ６２５３タイプＡまたはＤデュロメータ（Ａ型またはＤ型の硬さ試験機）を用いたＪＩＳ  Ｋ７２１５（デュロメータ硬さ試験方法）に準ずるものとする。
【００２６】
前記保形できる構造体に用いられる保形材のサイズとしては、長さ１００ｍｍ〜３００ｍｍ、横幅１ｍｍ〜３０ｍｍ、厚さ０．３ｍｍ〜５ｍｍ程度のテープ形状であることが望ましい。
又、保形材の代わりに接着心地を用いる場合も同様である。
前記保形できる構造体は前記保形材のサイズに準じて作成され、特にサイズを限定するものでは無いが、長さは１００ｍｍを超えることが好ましい。
そうすることで、通風孔を風を受け止める方向に広げ易くなり、通風孔に空気を導入する効果を十分発揮できるものとなる。
【００２７】
前記通風孔は人体の身長方向の鉛直線に対して０度以上９０度未満の角度で設けられていることが好ましい。そうすることにより、前記通風孔の後ろ側の切り込み端に設けられた保形できる構造体、もしくはそれより後ろ側に設けられた玉縁が、頭上より降り注ぐ太陽光を避ける庇として機能するため、衣服内温度を低減させることが可能となり、本発明の効果を相乗的に高めることができる。
さらには、庇としての機能が雨を避けるため、通風孔への雨の流れ込みを避けることが可能となる。
【００２８】
前記玉縁は、略長方形形状をしており、その短辺方向の幅は、５ｍｍ以上である事が好ましい。
５ｍｍ以上であれば、通風孔を保護する本来の玉縁の効果に加え、通風孔を開いて使用する際に、人体の前方向からの風を受け止め易くなり、通風孔に設けられた保形できる構造体による、風を導入する効果を相乗的に発揮させることができる。
【００２９】
更に、前記保形材および保形できる構造体の剛性が、前記通風孔の切込み端部材の剛性よりも硬くなっていることが好ましい。
そうすることにより、塑性変形可能な前記保形材および保形できる構造体の効果で、通風孔の切込み端部材の硬さに負けることなく通風孔を風を受け止める方向に大きく開き、その大きさを維持し、更には調整も可能となる。
【００３０】
以下図面を用いて説明する。
本発明の衣服構造体は、ここではスラックスのみを示すが、これに限定されるものではなく、広くスポーツウェア、レインウェア、その他一般の衣類等にも適用可能である。
【００３１】
図１（ａ）は本発明における衣服構造体となるスラックス１の全体図である。スラックス１は、本体部２と、通風孔４により開孔され、玉縁７からなる通風部３により構成されている。
図１（ｂ）は通風部３の通風孔４を開いた状態を表す拡大図である。通風孔４における２つの切り込み端において、人体における前側、後ろ側の切り込み端共に保形できる構造体５１、５２を設けており、各々の端部５１１、５２１を係止部材であるファスナー６にて開閉可能に構成されている。
【００３２】
図２（ａ）は、図１における通風部３におけるＩ−Ｉ断面を示す図であり、図２（ｂ）は、図２（ａ）における通風部３の拡大図である。
図２（ｂ）に示すように、後ろ側に設けられた保形できる構造体５２と、前側に設けられた保形できる構造体５１を、人体に沿うように各々の端部５１１、５２１を合わせた状態から、本体部２との各々の接合部分８１、８２より各々の端部５１１、５２１の一部が角度Ａ（３０度以上）に立ち上げて保形可能である。
【００３３】
図３（ａ）は、本発明における１つの実施の形態における前後の保形できる構造体５１、５２を、通風孔４の２つの切り込み端に設け、各々の端部にファスナーである係止部材６を設けて係止した状態を示す図である。
図３（ｂ）は、ＩＩ−ＩＩ断面図における後ろ側の保形できる構造体５２のみを示す断面図であり、任意の糸にて保形材９を折り込み、テープ状の構造体５２２とすることで作成される。
保形できる構造体５２の通風孔切り込み端部材４１への取り付け手段としては、縫製５２３を施すことで取り付けられ、同様にファスナーである係止部材端６１へは、後ろ側の保形できる構造体５２を任意の糸にて保形材９を織り込む際に、同時に織り込むことで取り付けられる。
図３（ｃ）は、保形材９の外観図を示した図である。
【００３４】
図４は、本発明品における、人体の身長方向の鉛直線に対して通風孔４の角度を変化させる様子を示した図である。
【実施例】
【００３５】
以下、本発明の実施例について述べるが、本発明はこれらに限定されるものではない。
（実施例１）
【００３６】
（１）使用材料
本実施例の衣服構造体であるスラックス１の本体部、玉縁に施される生地はナイロンであり、通風部における通風孔内に使用されるメッシュ生地はポリエステルである。保形できる構造体を構成する糸としてはポリエステルであり、係止部材としては、ＹＫＫ製のファスナーである。又、縫製に使用した糸は、ポリエステル糸である。
【００３７】
（２）作成方法
本実施例の通風孔の切り込み端に施される、保形出来る構造体の作成方法としては、ポリエステルの糸にて、保形材であるプラスチック線材（三井化学製テクノロート 品番Ｗ８０００  厚さ、幅共に１．１ｍｍ）を長さ２２０ｍｍに２本切り出し、２本横並びに揃えて織り込み、テープ状の構造物とすることで作成される。
保形できる構造体の通風孔の切込み端への取り付け手段としては、縫製することで取り付けられる。
ファスナーである係止部材端へは、保形できる構造体をポリエステルの糸にて保形材を織り込む際に、同時に織り込むことで取り付けられる。
更には、略長方形形状の短辺の長さが約１０ｍｍとした玉縁を通風孔の長さ約１８０ｍｍに合わせて、後ろ側の切り込み端の直後に縫製にて取り付けられる。
（３）通風孔の状態
本実施例の通風孔の状態としては、通風孔における後ろ側の切り込み端における保形できる構造体を、人体に沿うように各々の端部を合わせた状態から、本体部との接合部分より端部の約７０％がおおよそ３０度の角度に立ち上げて保形させた状態とした。
【００３８】
（実施例２）
実施例２としては、実施例１の通風部における玉縁を、通風孔の前側の切り込み端の直前に設けた以外は、実施例１と同様のスラックスとした。
本実施例の通風孔の状態としては、上記実施例１と同様の状態とした。
【００３９】
（比較例１）
比較例１としては、実施例１と同様のスラックスであるが、通風孔の状態は、切り込み端の保形できる構造体を特に変形させず、自然に係止部材を開いた状態とした。
【００４０】
（空気導入効果確認実験）
本発明における空気導入効果を確認する実験として、以下の実験を行った。
図５は、本実験風景を示したものである。以下に実験方法について説明する。
（実験方法）
２０℃、６５％ＲＨの環境下で、実施例１・実施例２・比較例１をそれぞれ順にマネキン１０に着用し、１ｍの高さから１０００Ｗのレフランプ１１で照射し、１ｍ前方から扇風機１２にて、風速１．５ｍ／ｓで、１０分送風した時の、衣服内温度の測定を、通風部３である衣服のポケット下の大腿部とマネキン９の間に温度センサー１３を用いて、秒単位の時系列にて行った。
【００４１】
（実験結果）
上記実験の結果として、実施例１と実施例２、比較例１の実験時間中のそれぞれの平均温度については、以下の通りであった。
2015145539.tif 000003
【００４２】
したがって、上記実施例１と比較例１における実験結果にて、通風孔において、自然に開いている状態より、後ろ側の切り込み端における保形できる構造体を、風を受け止め、取り込む状態に保形させた場合、衣服内の温度を各段に涼しくすることが可能であることが分かった。
【００４３】
又、上記実施例１と実施例２の比較により、後ろ側の保形できる構造体を風を受け止め、取り込む状態にすると同時に、玉縁を通風孔の切り込み孔の前よりも後ろに設けて、さらに風を受け止める構造とすることで、風を衣服内に導入し、涼しくする効果を増大させることが可能であることが分かった。
【産業上の利用可能性】
【００４４】
本発明の衣服構造体における空気導入手段は、登山、トレッキング、ハイキング、スキー、スノーボード、スケート、野球、ゴルフ、ホッケー、サッカー、ジョギング、マラソン、テニス、バドミントン、スカッシュ、卓球などあらゆるスポーツの衣服構造体に好適であるほか、一般の衣服構造体にも有用である。
【００４５】
又、本発明が適用可能な衣服構造体の種類としては、スラックス以外にも、ティーシャツ、ポロシャツ、ウインドブレーカー、パンツ、レインウェア、帽子、手袋等が挙げられる。
【符号の説明】
【００４６】
１  本発明における衣服構造体（スラックス）の外観図
２  本体部
３  通風部
４  通風孔
５１  前側における保形できる構造体
５２  後ろ側における保形できる構造体
５１１  前側における保形できる構造体の端部
５２１  後ろ側における保形できる構造体の端部
５２２  保形できる構造体を構成するテープ状構造物
５２３  縫製
６  係止部材
６１  係止部材端部
７  玉縁
８１  前側接合部分
８２  後ろ側接合部分
９  保形材
１０  マネキン
１１  レフランプ
１２  扇風機
１３  温度センサー
Ａ  通風孔４の前後の切り込み端に設けられた保形できる構造体５１、５２を、人体に沿
うように各々の端部５１１、５２１を合わせた状態から、風を受け止める方向に保形
できる構造体５１、５２を変形させ、本体部２との各々の接合部分８１、８２より各々
の端部５１１、５２１の一部がなす角度
【図１】
2015145539.tif 000004
【図２】
2015145539.tif 000005
【図３】
2015145539.tif 000006
【図４】
2015145539.tif 000007
【図５】
2015145539.tif 000008